(57)【特許請求の範囲】
【請求項１】
遊技盤に発射された遊技球を受入れ可能な単一の球受入口を有し、この単一の球受入口から受入れられた遊技球を振り分けるパチンコ遊技機の振分装置において、
前記球受入口に対して遊技球流れ方向の下流側に設けられた第１球振分口と、
前記球受入口に対して遊技球流れ方向の下流側且つ前記第１球振分口に対して隣接する位置に設けられた第２球振分口と、
前記第１球振分口の上方空間を上下に仕切ると共に遊技球を前記第２球振分口に導入するように案内するステージ部と、
前記球受入口を開閉する開閉部材であって開状態のときには前記第１球振分口に向って下り傾斜状になる開閉部材と、
前記開閉部材を開閉駆動する開閉駆動機構と、
前記球受入口の外部に且つ球受入口の近傍位置に前記開閉部材と干渉しないように設けられた振分調整釘であって、この振分調整釘に当たって球受入口から受入れられた遊技球を第１，第２球振分口の何れかに択一的に振り分ける振分率と共に前記球受入口への入球率を調整可能な振分調整釘とを備え、
前記振分調整釘に当たって球受入口に受け入れられた遊技球が、開状態の開閉部材上を転動したときには前記第１球振分口へ案内され、前記ステージ部上を転動したときには前記第２球振分口へ案内されるように構成されたことを特徴とするパチンコ遊技機の振分装置。
【発明の詳細な説明】
【技術分野】
【０００１】
本発明は、遊技盤に発射された遊技球を振り分けるパチンコ遊技機の振分装置に関するものである。
【背景技術】
【０００２】
従来、パチンコ遊技機の振分装置は、遊技盤に発射された遊技球を受入れ可能な球受入口を有し、この球受入口から受入れられた遊技球を振り分けるものであり、そのために、球受入口に対して遊技球流れ方向の下流側に第１，第２球振分口が設けられている。この種の振分装置において、球受入口を開閉する開閉部材、開閉部材を開閉駆動する開閉駆動機構を備えたもの（例えば、特許文献１、非特許文献１参照）が公知である。
【０００３】
特許文献１の振分装置では、センタ役物の左上部に球受入口と開閉部材が設けられ、センタ役物の下部内部に第１，第２球振分口が設けられている。球受入口から受入れられた遊技球は、球誘導通路でセンタ役物の下部内部に設けられたステージに誘導され、そこで、第１，第２球振分口の何れかに択一的に振り分けられる。第２球振分口（特定入賞口）に入賞した場合、大入賞口が複数ラウンドに亙って開閉する大当り遊技状態が発生する。
【０００４】
非特許文献１の振分装置では、センタ役物の上部に球受入口、第１，第２球振分口、開閉部材が設けられ、第１，第２球振分口から夫々第１，第２球誘導通路が延びている。第１，第２球誘導通路で夫々誘導された遊技球は、センタ役物の下部内部に設けられた特定入賞口を有する機械式抽選装置に導入される。遊技球が第２球誘導通路（スペシャルルート）から導入された場合に、第１球誘導通路（ノーマルルート）から導入された場合よりも、特定入賞口に入賞する（つまり、大当り遊技状態が発生する）確率が高くなる。
【０００５】
球受入口よりも右方に第１，第２球振分口が位置し、第１球振分口よりも右方に且つ上方に第２球振分口が位置している。始動口への遊技球の入賞を契機に行われる抽選で当選したことを含む所定条件成立時に、球受入口が１又は複数回開閉され、その間に、球受入口から遊技球を受入れ可能になる。球受入口から受入れられた遊技球の多くは第１球振分口に入るが、開閉部材が球受入口を閉塞する動作によって、遊技球が第１球振分口の上側を飛越えるように開閉部材で押動されることで始めて第２球振分口に入るようになる。
【先行技術文献】
【特許文献】
【０００６】
【特許文献１】特開２００６−５１０９６号公報
【非特許文献】
【０００７】
【非特許文献１】双葉社，２００９年４月１２日発行，パチンコ攻略マガジン，第２１巻第１０号通巻５９３号，Ｐ．７５〜７７
【発明の概要】
【発明が解決しようとする課題】
【０００８】
非特許文献１の振分装置では、球受入口、第１，第２球振分口、開閉部材の形状やサイズや配置、開閉部材の開閉動作等に基づいて、遊技球を第１，第２球振分口の何れかに択一的に振り分ける振分率が設定されるが、その振分率を遊技ホール側は調整することができない。開閉部材が球受入口を閉塞する動作によって、遊技球が第１球振分口の上側を飛越えるように開閉部材で押動されることで始めて第２球振分口に入るようになるため、球受入口の外部に球受入口への遊技球の入球率を調整可能な調整釘がある場合に、その調整釘を利用しても、前記振分率を調整することは困難である。
【０００９】
遊技ホール側は、パチンコ遊技機の遊技性能（例えば、遊技盤への遊技球の発射総数に対して、予想される平均的な大当り遊技状態の発生回数）を調整したい要望がある。しかし、非特許文献１の振分装置を備えたパチンコ遊技機では、前記振分率以外の調整（例えば、始動口への遊技球の入賞率や球受入口への遊技球の入球率の調整）を行うことでしか、遊技性能を調整することができず、遊技性能の調整幅が狭まる。
【００１０】
また、非特許文献１の振分装置では、開閉部材が球受入口を閉塞する動作によって、遊技球が第１球振分口の上側を飛越えるように開閉部材で押動されることで始めて第２球振分口に入るようになることから、前記振分率を安定させることが難しい。振分率が不安定であることは、パチンコ遊技機の所期の遊技性能が発揮されない原因になる。
【００１１】
本発明の目的は、遊技球を第１，第２球振分口の何れかに択一的に振り分ける振分率を調整することができ、また、その振分率を安定させることができる、パチンコ遊技機の振分装置を提供することである。
【課題を解決するための手段】
【００１２】
請求項１の発明は、遊技盤(4)に発射された遊技球(B)を受入れ可能な単一の球受入口(40)を有し、この単一の球受入口(40)から受入れられた遊技球(B)を振り分けるパチンコ遊技機(1)の振分装置(16)において、前記球受入口(40)に対して遊技球流れ方向の下流側に設けられた第１球振分口(41A)と、前記球受入口(40)に対して遊技球流れ方向の下流側且つ前記第１球振分口(41A)に対して隣接した位置に設けられた第２球振分口(41B)と、前記第１球振分口(41A)の上方空間を上下に仕切ると共に遊技球を前記第２球振分口(41B)に導入するステージ部(44e)と、前記球受入口(40)を開閉する開閉部材(42)であって開状態のときには前記第１球振分口(41A)に向って下り傾斜状になる開閉部材(42)と、前記開閉部材(42)を開閉駆動する開閉駆動機構(43)と、前記球受入口(40)の外部に且つ球受入口(40)の近傍位置に前記開閉部材(42)と干渉しないように設けられた振分調整釘(10A)であって、この振分調整釘(10A)に当たって球受入口(40)から受入れられた遊技球(B)を第１，第２球振分口(41A,41B)の何れかに択一的に振り分ける振分率と共に前記球受入口(40)への入球率を調整可能な振分調整釘(10A)とを備え、前記振分調整釘(10A)に当たって球受入口(40)に受け入れられた遊技球が、開状態の開閉部材(42)上を転動したときには前記第１球振分口(41A)へ案内され、前記ステージ部(44B)上を転動したときには前記第２球振分口(41B)へ案内されるように構成されたことを特徴とする。
【発明の効果】
【００２０】
本発明のパチンコ遊技機の振分装置によれば、遊技性能（例えば、遊技盤への遊技球の発射総数に対して、予想される平均的な大当り遊技状態の発生回数）を調整することができ、故に、遊技性能の調整幅が広がり、また、前記振分率を安定させる（所望の振分率に安定的に設定する）ことができる。
【図面の簡単な説明】
【００２８】
【図１】パチンコ遊技機の正面図である。
【図２】パチンコ遊技機の制御系のブロック図である。
【図３】振分装置の球受入口が開放された状態の正面図である。
【図４】振分装置（球受入口が閉塞状態）の正面図である。
【図５】図３のV −V 線断面図である。
【図６】図３のVI−VI線断面図である。
【図７】振分装置の第１領域を示す正面図である。
【図８】振分装置の第２領域を示す正面図である。
【図９】メカ式抽選装置の平面図である。
【図１０】図９のX −X 線断面図である。
【図１１】図９のXI−XI線断面図である。
【図１２】パチンコ遊技機の機能ブロック図である。
【図１３】特定図柄の種類と開閉部材の開閉動作パターンの関係を示す図である。
【発明を実施するための形態】
【００２９】
本発明のパチンコ遊技機の振分装置は、球受入口に対して遊技球流れ方向の下流側に設けられた第１，第２球振分口、球受入口を開閉する開閉部材、開閉部材を開閉駆動する開閉駆動機構、球受入口の外部に且つ球受入口の近傍位置に開閉部材と干渉しないように設けられた振分調整釘であって、この振分調整釘に当たって球受入口から受入れられた遊技球を第１，第２球振分口の何れかに択一的に振り分けるとともにその振分率を調整可能な振分調整釘を備えたものであり、以下、発明を実施するための形態について実施例に基づいて説明する。
【実施例】
【００３０】
図１に示すように、パチンコ遊技機１には、遊技ホールの島構造体等に取付けられる外枠に開閉枠２が開閉自在に装着され、開閉枠２に開閉扉３が開閉自在に装着されている。開閉枠２に遊技盤４が装着され、その遊技盤４の前面側に遊技領域５が形成されている。開閉扉３に窓３ａが形成され、その窓３ａに透明板３ｂが装着され、その透明板３ｂにより遊技領域５の前側が覆われている。
【００３１】
開閉扉３の窓３ａの下側に、遊技球Ｂを貯留する貯留皿６と、遊技領域５に遊技球Ｂを発射させる発射ハンドル７が装着されている。発射ハンドル７が回動操作されると、貯留皿６から発射位置に導入された遊技球Ｂが発射され、ここで、貯留皿６に複数の遊技球Ｂが存在する場合には、複数の遊技球Ｂが約０．６秒間隔で連続発射される。発射された遊技球Ｂはガイドレール８で案内され遊技領域５の左上部に投入される。
【００３２】
図１、図２に示すように、遊技盤４には、遊技領域５に、多数の障害釘１０（振分調整釘１０Ａを含む）、始動口１１、大入賞口装置１２、複数の一般入賞口１３、センタ役物１４、画像表示器１５、振分装置１６、機械式抽選装置１７が装着され、遊技領域５外に遊技表示盤１９が装着され、遊技盤４の裏面側に制御装置２０が装着されている。
【００３３】
始動口１１には、始動口１１に入賞した遊技球Ｂを検出する始動口ＳＷ１１ａが付設され、各一般入賞口１３には、一般入賞口１３に入賞した遊技球Ｂを検出する一般入賞口ＳＷ１３ａが付設されている。尚、ＳＷはスイッチを意味する。大入賞口装置１２は、大入賞口１２ａ、大入賞口１２ａを開閉する開閉部材１２ｂ、大入賞口１２ａに入賞した遊技球Ｂを検出する大入賞口ＳＷ１２ｃ、開閉部材１２ｂを開閉駆動する大入賞口ＳＯＬ１２ｄを有する。尚、ＳＯＬはソレノイドアクチュエータを意味する。開閉部材１２ｂは、大入賞口１２ａへの遊技球Ｂの入賞を閉位置で不可能にし開位置で可能にする。
【００３４】
センタ役物１４は遊技盤４の盤面（前面）よりも前方へ張出す枠状部１４ａを有し、このセンタ役物１４に画像表示器１５と振分装置１６と機械式抽選装置１７が設けられている。画像表示器１５は液晶ディスプレイからなり、その画面がセンタ役物１４の枠状部１４ａの内側から前方へ臨むように配置されている。振分装置１６と機械式抽選装置１７については後で詳しく説明する。
【００３５】
遊技表示盤１９は、遊技領域５の下部右側に前方へ向けて配置され、図柄表示器１９ａ、保留ランプ１９ｂを備えている。図柄表示器１９ａは、始動口１１への遊技球Ｂの入賞を契機に図柄を変動させその後停止させるように表示する。図柄保留ランプ１９ｂには、始動口１１に入賞し且つ図柄変動に有効な遊技球Ｂの数が最大で４個まで表示され、その保留数は図柄表示器１９ａでの図柄変動の開始毎に減算される。
【００３６】
発射ハンドル７を回動操作することで、遊技領域５に発射投入された遊技球Ｂは、複数の障害釘１０に当たって方向を変えながら落下して、始動口１１、大入賞口装置１２、複数の一般入賞口１３、振分装置１６（機械式抽選装置１７）の何れかに入った場合、そこから遊技領域５外へ排出され、そうならなかった場合には、最終的に、遊技領域５の下端部に形成されたアウト口９から遊技領域５外へ排出される。
【００３７】
次に、パチンコ遊技機１の制御系について説明する。
図２に示すように、制御装置２０は、メイン制御装置２１とサブ制御装置２５とで構成されている。メイン制御装置２１は、遊技制御基板２２にＣＰＵとＲＯＭとＲＡＭを備えて構成され、遊技制御基板２２は盤用外部情報端子基板２３に接続されている。
【００３８】
サブ制御装置２５は、払出制御基板２６、演出制御基板２７、画像制御基板２８、ランプ制御基板２９から構成され、この複数の制御基板２６〜２９は夫々ＣＰＵとＲＯＭとＲＡＭを備え、更に、演出制御基板２７はＲＴＣを備え、払出制御基板２６は枠用外部情報端子基板２４に接続されている。
【００３９】
遊技制御基板２２は、始動口ＳＷ１１ａ、大入賞口ＳＷ１２ｃ、一般入賞口ＳＷ１３ａ、特定入賞口ＳＷ６７からの検出信号と、払出制御基板２６からの制御情報を受けて、大入賞口ＳＯＬ１２ｄ、振分開閉ＳＯＬ５０、抽選用回転モータ６２、図柄表示器１９ａ、保留ランプ１９ｂを制御し、払出制御基板２６と演出制御基板２７と盤用外部情報端子基板２３に制御情報（遊技情報）を出力する。
【００４０】
払出制御基板２６は、遊技制御基板２２からの制御情報と、払出球検出ＳＷ３１、球有り検出ＳＷ３２、満タン検出ＳＷ３３からの検出信号を受けて、払出駆動モータ３０を制御し、入賞口１１、１２ａ，１３への遊技球Ｂの入賞１個について、入賞口１１、１２ａ，１３毎に設定された数の遊技球Ｂを貯留皿６に払出し、遊技制御基板２２と枠用外部情報端子基板２４に制御情報（払出情報）を出力する。
【００４１】
演出制御基板２７は、遊技制御基板２２からの制御情報と、貯留皿６に設けられた演出ボタン３５からの操作信号と、第１，第２球振分口ＳＷ４６Ａａ，４６Ｂａからの検出信号を受けて、画像制御基板２８に制御情報を出力し、更に、画像制御基板２８からの制御情報を受けて、ランプ制御基板２９に制御情報を出力する。
【００４２】
画像制御基板２８は、演出制御基板２７からの制御情報を受けて、画像表示器１５とスピーカ３４とを制御し、演出制御基板２７に制御情報を出力する。ランプ制御基板２９は、演出制御基板２７からの制御情報を受けて、主に画像制御基板２８による制御に同期させて、枠ランプ３６と盤ランプ３７とを制御する。
【００４３】
振分装置１６と機械式抽選装置１７について詳しく説明する。
図１〜図８に示すように、振分装置１６は、遊技盤４（遊技領域５）に発射された遊技球Ｂを受入れ可能な球受入口４０を有し、この球受入口４０から受入れられた遊技球Ｂを振り分けるものである。振分装置１６は、球受入口４０の他に、第１，第２球振分口４１Ａ，４１Ｂ、開閉部材４２、開閉駆動機構４３、球受部材４４、球振分導入空間４５、振分調整釘１０Ａ、第１，第２球誘導通路４６Ａ，４６Ｂを備えている。
【００４４】
球受入口４０、第１，第２球振分口４１Ａ，４１Ｂ、開閉部材４２、開閉駆動機構４３、球受部材４４、球振分導入空間４５はセンタ役物１４の左部及び左部近傍に設けられている。センタ役物１４の左部における枠状部１４ａには、左側から右側へ凹むように、上壁１４ｂと、上壁１４ｂの右端部から下方へ延びる右仕切壁１４ｃとが形成されている。
【００４５】
球受部材４４は、その右上端部が右仕切壁１４ｃの下端部と繋がるように、上壁１４ｂから下方へ所定隙間隔てた位置に配置されている。上壁１４ｂの左端部と球受部材４４の左上端部との間に、球受入口４０が略左方へ向いて、遊技領域５のうちセンタ役物１４の左側に位置する左遊技領域５ａに臨むように形成されている。遊技盤４と透明板３ｂとの間において、上壁１４ｂ、右仕切壁１４ｃ、球受入口４０、開閉部材４２、球受部材４４で囲まれた部分が球振分導入空間４５になる。
【００４６】
第１，第２球振分口４１Ａ，４１Ｂは、球受入口４０に対して遊技球Ｂの流れ方向の下流側に設けられ、球受部材４４によって形成されている。第１，第２球振分口４１Ａ，４１Ｂは球受入口４０よりも右方に位置し、第１球振分口４１Ａは、第２球振分口４１Ｂよりも左方且つ下方に位置している。球受部材４４は、第１，第２球振分口４１Ａ，４１Ｂを夫々形成する第１，第２Ｕ字部４４ａ，４４ｂを有し、この第１，第２Ｕ字部４４ａ，４４ｂの底部に、夫々、遊技球Ｂを後方へ案内する傾斜案内突起４４ａ１，４４ｂ１が後方下がり傾斜状に形成されている。
【００４７】
また、球受部材４４は、第１Ｕ字部４４ａの左右両上端部から上方へ延びて、それらの間隔が上方程広がる壁部４４ｃ，４４ｄを有する。壁部４４ｄの上部は第２Ｕ字部４４ｂの左端部を含み、壁部４４ｄの上端は壁部４４ｃの上端よりも高い位置にある。壁部４４ｃの上端高さ位置における両壁部４４ｃ，４４ｄ間の幅は、第２Ｕ字部４４ｂの左右両上端間の幅の２倍程度ある。
【００４８】
更に、球受部材４４は、壁部４４ｄ（第２Ｕ字部４４ｂの左端部）の上端から左方へ延びるステージ部４４ｅを有する。このステージ部４４ｅは、その左端部が球受入口４０の近くまで達しており、その左端部から右方程下方へ移行するように穏やかに傾斜している。つまり、ステージ部４４ｅは、球振分導入空間４５を略上下に仕切るものとなり、ステージ部４４ｅ上の遊技球Ｂは、第２球振分口４１Ｂに案内されることになる。
【００４９】
開閉部材４２は、球受入口４０を開閉するものであり、この開閉部材４２の基端部に、遊技盤４の盤面直交方向に向く軸４２ａが嵌合固着（又は一体形成）されている。開閉部材４２は、この軸４２ａ回りに軸４２ａを介して回動自在に遊技盤４に支持されている。軸４２ａは球受部材４４の壁部４４ｃの上端近傍に配置され遊技盤４を貫通している。尚、軸４２ａ以外に、開閉部材４２を遊技盤４に回動自在にガイド支持するガイドピン等を有するガイド機構を別途設けてもよい。
【００５０】
開閉部材４２は、球受入口４０を完全に閉塞した閉塞位置で鉛直に近い姿勢になり（図３参照）、閉塞位置から左側へ５０〜６０度程度回動して球受入口４０を完全に開放する開放位置で右方斜め下方へ傾斜した姿勢になる（図４参照）。開放位置における開閉部材４２の先端が球受入口４０の上端よりも下方に位置するように構成されている。開閉部材４２の内面には案内面４２ｂが形成されており、開閉部材４２が球受入口４０を開放しているときに、その案内面４２ｂによって、左遊技領域５ｂにおいて落下する遊技球Ｂを受止めて第１球振分口４１Ａに案内する案内機能を有する。
【００５１】
開閉駆動機構４３は、開閉部材４２を図３の閉塞位置と図４の開放位置とに亙って開閉駆動するものであり、遊技盤４の裏面側に配置された振分開閉ＳＯＬ５０とレバー部材５１とを有する。レバー部材５１の一端部が軸４２ａに固着され、振分開閉ＳＯＬ５０は、レバー部材５１に回動力を伝達可能に、その本体部が遊技盤４に固定され、プランジャ５０ａの先端部に、レバー部材５１の他端部が回動自在に且つレバー部材５１の長さ方向にスライド自在にピン結合されている。
【００５２】
振分開閉ＳＯＬ５０がオフのとき、プランジャ５０ａが突出して、図示略の復帰バネ（尚、振分開閉ＳＯＬ５０の復帰バネを適用してもよい）により、開閉部材４２が閉塞位置に保持される。振分開閉ＳＯＬ５０がオンされると、プランジャ５０ａが退入して、開閉部材４２が閉塞位置から開放位置に回動され、その後、振分開閉ＳＯＬ５０がオフされると、前記復帰バネにより、開閉部材４２が開放位置から閉塞位置に回動され復帰する。
【００５３】
振分調整釘１０Ａは、球受入口４０の外部に且つ球受入口４０の近傍位置に開閉部材４２と干渉しないように設けられている。この振分調整釘１０Ａは、振分調整釘１０Ａに当たって球受入口４０から受入れられた遊技球Ｂを第１，第２球振分口４１Ａ，４１Ｂの何れかに択一的に振り分けるとともにその振分率を調整可能なものであり、更に、前記振分率と共に球受入口４０への遊技球Ｂの入球率を調整可能なものである。
【００５４】
ここで、振分調整釘１０Ａの配置を限定するにあたって、次の第１，第２領域５５，５６を設定している。
【００５５】
先ず、図７に示すように、第１領域５５は、球受入口４０の上端から側方外側（左方）へ遊技球Ｂの直径に相当する距離離れた鉛直ラインＬ１と、開閉部材４２の開放位置における先端を通る水平ラインＬ２と、開閉部材４２の先端の回動軌跡を含む第１円弧ラインＬ３と、第１円弧ラインＬ３から外側へ遊技球Ｂの直径（又は直径の２倍）に相当する距離離れた第２円弧ラインＬ４とで囲まれた領域である。振分調整釘１０Ａは、この第１領域５５内に配置されている。
【００５６】
次に、図８に示すように、第２領域５６は、第１領域５５に含まれる領域であって、鉛直ラインＬ１及び第１，第２円弧ラインＬ３，Ｌ４と、開閉部材４２の軸心ｍを通る４５度ラインＬ５とで囲まれた領域である。振分調整釘１０Ａは、この第２領域５６内に配置されている。更に、振分調整釘１０Ａは、鉛直ラインＬ１と、開閉部材４２の開放位置における先端を通る第２の鉛直ラインＬ６との中心ｎの近傍位置に配置されている。
【００５７】
また、振分調整釘１０Ａは、鉛直ラインＬ１と４５度ラインＬ５とのなす角を２等分する２等分ラインＬ７の近傍位置でもあり、球受入口４０と第２の鉛直ラインＬ６との中間近傍位置でもあり、球受入口４０の上端と略同じ高さ位置でもある。尚、振分調整釘１０Ａを、前記配置以外に第１領域５５又は第２領域５６内の任意の位置に配置してもよい。
【００５８】
この振分装置１６は、振分調整釘１０Ａに当たって球受入口４０から受入れられた遊技球Ｂを開閉部材４２に接触させることなく第２球振分口４１Ｂへ誘導可能に構成されている。そのために、振分調整釘１０Ａに当たって右側へ跳返った遊技球Ｂが直接ステージ部４４ｅに乗ることが可能に、ステージ部４４ｅが球受入口４０の近くまで延びており、遊技球Ｂがステージ部４４ｅに乗ると第２球振分口４１Ｂに案内される。
【００５９】
ここで、振分調整釘１０Ａを第１領域５５内に配置することで、振分調整釘１０Ａと開閉部材４２とが干渉することを防止するとともに、振分調整釘１０Ａに当たって右側へ跳返った遊技球Ｂを、振分調整釘１０Ａと、球受部材４４の上端近傍のセンタ役物１４の枠状部１４ａとの間を通して、直接ステージ部４４ｅに乗せることを可能にする。更に、振分調整釘１０Ａを第２領域５６内に配置することで、第２領域５６外に配置する場合よりも、遊技球Ｂを直接ステージ部４４ｅに乗せる可能性を高くすることができる。
【００６０】
振分調整釘１０Ａは、その傾きの調整により、遊技球Ｂを第１，第２球振分口４１Ａ，４１Ｂの何れかに択一的に振り分ける振分率を調整可能である。遊技球Ｂが第２球振分口４１Ｂに入るのが主として直接ステージ部４４ｅに乗ることで実現される場合、振分調整釘１０Ａを右側に傾ける程、遊技球Ｂが第２球振分口４１Ｂに入る割合が高くなり、振分調整釘１０Ａを左側に傾ける程、遊技球Ｂが第１球振分口４１Ａに入る割合が高くなる。
【００６１】
また、振分調整釘１０Ａは、その傾きの調整により、球受入口４０への遊技球Ｂの入球率を調整可能である。遊技盤４に発射された遊技球Ｂが、振分調整釘１０Ａに右側から当たる（即ち、左側へ跳返る）場合よりも、振分調整釘１０Ａに左側から当たる（即ち、左側へ跳返る）場合が多いものとして、振分調整釘１０Ａを右側に傾ける程、前記入球率が高くなり、振分調整釘１０Ａを左側に傾ける程、前記入球率が低くなる。
【００６２】
第１，第２球誘導通路４６Ａ，４６Ｂは、第１，第２球振分口４１Ａ，４１Ｂから夫々センタ役物１４の左部及び下部に沿って、センタ役物１４の下部内部（機械式抽選装置１７）へ延びるように配設されている。第１，第２球誘導通路４６Ａ，４６Ｂには第１，第２球振分口４１Ａ，４１Ｂに入った遊技球Ｂを検出する第１，第２球振分口ＳＷ４１Ａａ，４１Ｂａが付設されている。第１，第２球誘導通路４６Ａ，４６Ｂは、夫々、第１，第２球振分口４１Ａ，４１Ｂに入った遊技球Ｂをセンタ役物１４の下部内部まで逆流させないように誘導するために、高さ位置が下流側程低くなる。
【００６３】
図１、図２、図９〜図１１に示すように、機械式抽選装置１７は、振分装置１６に付設されたもので、センタ役物１４の下部内部に設けられている。機械式抽選装置１７は、第１，第２球誘導通路４６Ａ，４６Ｂで夫々遊技球Ｂが誘導されたことで抽選を行い、遊技球Ｂが第２球誘導通路４６Ｂで誘導された場合に第１球誘導通路４６Ａで誘導された場合よりも、遊技者に有利になる抽選結果を導出する可能性が高くなる。
【００６４】
この機械式抽選装置１７は、遊技球Ｂの入賞により大当り遊技状態を発生させる特定入賞口６０を有する。このメカ式抽選装置１７に第１，第２球誘導通路４６Ａ，４６Ｂで夫々誘導された遊技球Ｂが導入されるとともに、遊技球Ｂが第２球誘導通路４６Ｂから導入された場合に第１球誘導通路４６Ａから導入された場合よりも、特定入賞口６０に入賞する確率が高くなる（例えば、前者の場合に特定入賞口６０に入賞する確率が１／２になり、後者の場合に特定入賞口６０に入賞する確率が１／８になる）ように構成されている。
【００６５】
機械式抽選装置１７の具体例について説明すると、抽選用回転体６０が鉛直軸心回りに回転するように設けられ、その底面と外周面が回転体受皿６１の底壁と外周壁に摺動自在に当接している。抽選用回転体６０の外周側部分に、回転体受皿６１と協働して、遊技球Ｂを夫々載置保持可能な１つの当り球載置部６０ａと７つの外れ球載置部６０ｂからなる合計８つの球載置部６０ａ，６０ｂが、周方向等間隔おきに仕切られて形成されている。
【００６６】
抽選用回転体６０において、各球載置部６０ａ，６０ｂの底部は径方向外側程高さが低くなるように形成され、当り球載置部６０ａの底部には開口６０ｃが形成されている。回転体受皿６１の前部底部に、抽選用回転体６０の外周側部分の下側に位置するように特定入賞口６３が形成され、回転体受皿６１の前部から前方へ突出する受皿突出部６１ａの底部に非特定入賞口６４が形成されている。
【００６７】
抽選用回転体６０には、その中心から当り球載置部６０ａの方へ向かって下方へ傾斜する当り誘導路６０ｄと、その中心から当り球載置部６０ａと反対側の１つの外れ球載置部６０ｂの方へ向かって下方へ傾斜する外れ誘導路６０ｅが形成されている。抽選用回転モータ６２により、抽選用回転体６０が規則的に回転するように駆動され、そのために、抽選用回転モータ６２が回転体受皿６１の下側に上向きに配置され、その出力軸６２ａが回転体受皿６１を挿通して、抽選用回転体６０の中心部に嵌合固着されている。
【００６８】
第１球誘導通路４６Ａから導入された遊技球Ｂは、定位置から８つの球載置部６０ａ，６０ｂの何れか１つに直接移載され、当り球載置部６０ａに移載されるか外れ球載置部６０ｂに移載されるかは、回転体受皿６１の回転位置によって決まり、１／８の確率で当り球載置部６０ａに移載される。また、第２球誘導通路４６Ｂから導入された遊技球Ｂは、先ず、定位置から当り誘導路６０ｄと外れ誘導路６０ｅに境界部分に落とされ、そこから、回転体受皿６１の回転位置に関わらず、当り球載置部６０ａと１つの外れ球載置部６０ｂの何れかに移載され、１／２の確率で当り球載置部６０ａに移載される。
【００６９】
当り球載置部６０ａに載置された遊技球Ｂは、その当り球載置部６０ａが特定入賞口６３と一致した位置で、開口部６０ｃを通過して特定入賞口６３に入賞し、外れ球載置部６０ｂに載置された遊技球Ｂは、その外れ球載置部６０ｂが受皿突出部６１ａと一致した位置で、受皿突出部６１ａへ移動して非特定入賞口６４に入賞する。入賞口６３，６４に入賞した遊技球Ｂは、夫々、球排出路６５，６６を通って外部へ排出される。特定入賞口ＳＷ６７により、特定入賞口６３に入賞した遊技球Ｂが検出される。
【００７０】
ところで、図１２に示すように、メイン制御装置２１（遊技制御基板２２）により、乱数取得手段２１ａ、乱数判定手段２１ｂ、振分開閉制御手段２１ｃ、開閉動作パターン記憶手段２１ｄ、大入賞口開閉制御手段２１ｅが構成されている。
【００７１】
乱数取得手段２１ａは、始動口１１への遊技球Ｂの入賞を契機に乱数値を取得し、乱数判定手段２１ｂは、乱数取得手段２１ａで取得された乱数値に基づいて図柄の種類を判定する。乱数判定手段２１ｂで判定された種類の図柄が図柄表示器１９ａに変動後に表示される。振分開閉制御手段２１ｃは、振分装置１６に含まれるものであり、図柄表示器１９ａに乱数判定手段２１ｂで判定された特定図柄が表示された場合に、振分装置１６の開閉部材４２を開閉させるように、振分開閉ＳＯＬ５５を制御する。
【００７２】
ここで、図１３に示すように、乱数判定手段２１ｂは、特定図柄として、複数種類の特定図柄（第１特定図柄、第２特定図柄、第３特定図柄・・・）の何れか１つを選択的に判定し、開閉動作パターン記憶手段２１ｄには、特定図柄の種類別に異なる開閉部材４２の開閉動作パターンが記憶されている。表示された特定図柄の種類に対応する開閉動作パターンとなるように、振分開閉制御手段２１ｃにより振分開閉ＳＯＬ５５が制御される。大入賞口開閉制御手段２１ｅは、特定入賞口ＳＷ６７により遊技球Ｂが検出された場合、大入賞口１２ａが複数ラウンドに亙って開閉する大当り遊技状態が発生するように、大入賞口ＳＯＬ１２ｄを制御する。
【００７３】
パチンコ遊技機１の振分装置１６の作用・効果について説明する。
通常、遊技者は、発射ハンドル７を操作し、始動口１１を狙って遊技球Ｂを発射して遊技を行う。遊技球Ｂが始動口１１に入賞すると抽選を受けることができ、その抽選で当選した場合（図柄表示器１９ａに特定図柄が表示された場合）、振分装置１６が作動して、開閉部材４２が比較的短い時間で球受入口４０を１又は複数回開閉する。
【００７４】
球受入口４０が開放されたとき、振分調整釘１０Ａに当たって球受入口４０から受入れられた遊技球Ｂが、第１，第２球振分口４１Ａ，４１Ｂの何れかに択一的に振り分けられ、第２球振分口４１Ｂへは遊技球Ｂを開閉部材４２に接触させることなく誘導可能になる。ここで、遊技ホール側が、前記のように、振分調整釘１０Ａの傾きを調整することで、遊技球Ｂを第１，第２球振分口４１Ａ，４１Ｂの何れかに択一的に振り分ける振分率を調整することができる。そして、遊技球Ｂが第１球振分口４１Ａに入った場合、１／８の確率で大当り遊技状態が発生し、遊技球Ｂが第２球振分口４１Ｂに入った場合、１／２の確率で大当り遊技状態が発生する。
【００７５】
尚、第１，第２球振分口４１Ａ，４１Ｂに夫々入った（つまり、第１，第２球誘導通路４６Ａ，４６Ｂで夫々誘導される）遊技球Ｂについては、第１，第２球振分口ＳＷ４６Ａａ，４６Ｂａで検出できることから、この検出を契機に、画像表示器１５等を用いて演出を実行し、この場合、遊技球Ｂが第２球振分口４１Ｂに入った場合に第１球振分口４１Ａに入った場合よりも、大当り遊技状態の発生に期待を持つことができる遊技演出を実行することができる。
【００７６】
特に、球受入口４０の外部に且つ球受入口４０の近傍位置に開閉部材４２と干渉しないように振分調整釘１０Ａを設けて、この振分調整釘１０Ａに当たって球受入口４０から受入れられた遊技球Ｂを第１，第２球振分口４１Ａ，４１Ｂの何れかに択一的に振り分けることができ、その振分率を調整することができる。これにより、遊技性能（例えば、遊技盤４への遊技球Ｂの発射総数に対して、予想される平均的な大当り遊技状態の発生回数）を調整することができ、故に、遊技性能の調整幅が広がり、また、前記振分率を安定させる（所望の振分率に安定的に設定する）ことができる。
【００７７】
振分調整釘１０Ａは、前記振分率と共に球受入口４０への遊技球Ｂの入球率を調整可能なものであるので、振分調整釘１０Ａに前記振分率と入球率の両方を調整可能な機能を持たせることができ、遊技性能を調整する上で便利になる。
【００７８】
振分調整釘１０Ａを、前記鉛直ラインＬ１、水平ラインＬ２、第１，第２円弧ラインＬ３，Ｌ４で囲まれた第１領域５５内に配置したので、振分調整釘１０Ａに当たって球受入口４０から受入れられた遊技球Ｂを開閉部材４２に接触させることなく第２球振分口４１Ｂへ誘導可能にすることもでき、また、振分調整釘１０Ａを前記振分率と共に受入口４０への遊技球Ｂの入球率を調整可能なものにすることもでき、そして、前記振分率を調整可能な振分調整釘の機能を確保することができる。
【００７９】
しかも、振分調整釘１０Ａを、前記鉛直ラインＬ１及び第１，第２円弧ラインＬ３，Ｌ４、４５度ラインＬ５で囲まれた第２領域内５２に配置したので、前記振分率を調整可能な振分調整釘の機能をより確実に確保し、更に、振分調整釘１０Ａを、前記鉛直ラインＬ１と第２の鉛直ラインＬ６との中心ｎ近傍位置に配置したので、前記振分率を調整可能な振分調整釘の機能を最も発揮し得るように振分調整釘１０Ａを設けることができる。
【００８０】
第１，第２球誘導通路４６Ａ，４６Ｂで夫々遊技球Ｂが誘導されたことで抽選を行う機械式抽選装置１７を付設し、遊技球Ｂが第２球誘導通路４６Ｂで誘導された場合に第１球誘導通路４６Ａで誘導された場合よりも、遊技者に有利になる抽選結果を導出する可能性が高くなるので、遊技性を高めることができる。しかも、前記振分率を所望の振分率に安定的に設定できることから、遊技盤４への遊技球Ｂの発射総数に対して、予想される大当り遊技状態の平均的な発生回数を安定させて、パチンコ遊技機１の所期の遊技性能を発揮させることが可能になる。
【００８１】
このメカ式抽選装置１７は、遊技球Ｂの入賞により大当り遊技状態を発生させる特定入賞口６３を有する抽選装置であるので、乱数抽選とは異なり、遊技者がメカ式抽選装置１７による抽選動作を見て楽しむことができ、遊技性を一層高めることができる。
【００８２】
その他、本発明の趣旨を逸脱しない範囲において、種々の変更を付加して実施可能である。例えば、遊技球Ｂがメカ式抽選装置１７に第１球誘導通路４６Ａから導入された場合に第２球誘導通路４６Ｂから導入された場合よりも、特定入賞口６３に入賞する確率が高くなるように構成してもよい。また、例えば、振分装置の主要構成については、センタ役物１４の左部以外の上部等やセンタ役物１４以外の種々の部位に配置してもよい。尚、第１，第２球振分口が第１，第２球誘導通路と独立に存在しない場合、第１，第２球誘導通路の上流端が第１，第２球振分口になるものとする。
【符号の説明】
【００８３】
Ｂ  遊技球
Ｌ１  鉛直ライン
Ｌ２  水平ライン
Ｌ３，Ｌ４  第１，第２円弧ライン
Ｌ５  ４５度ライン
Ｌ６  第２の鉛直ライン
１  パチンコ遊技機
４  遊技盤
１０Ａ  振分調整釘
１６  振分装置
１７  機械式抽選装置
４０  球受入口
４１Ａ，４１Ｂ  第１，第２球振分口
４２  開閉部材
４３  開閉駆動機構
４６Ａ，４６Ｂ  第１，第２球誘導通路
５５  第１領域
５６  第２領域
【図１】
0005380181.tif 000002
【図２】
0005380181.tif 000003
【図３】
0005380181.tif 000004
【図４】
0005380181.tif 000005
【図５】
0005380181.tif 000006
【図６】
0005380181.tif 000007
【図７】
0005380181.tif 000008
【図８】
0005380181.tif 000009
【図９】
0005380181.tif 000010
【図１０】
0005380181.tif 000011
【図１１】
0005380181.tif 000012
【図１２】
0005380181.tif 000013
【図１３】
0005380181.tif 000014